(57)【要約】【課題】簡単な構成で除湿水の排水異常を検知する感度を高めて的確に検知する。【解決手段】結露水を受けるドレンパン１３と、圧縮機２と放熱器３を連結する配管６に設けた第１の温度測定部８によって冷媒の温度を測定する第１の冷媒温度測定装置１０と、放熱器３内の凝縮温度を第２の温度測定部１１によって測定する第２の冷媒温度測定装置１２と、第１の冷媒温度測定装置１０および第２の冷媒温度測定装置１２により測定した温度情報によって圧縮機２の運転を制御する制御装置９とを備え、第１の温度測定部８をドレンパン１３の溢水線より重力方向側のドレンパン１３内に設置するとともに、制御装置９は、圧縮機２の回転数を間欠的に低下させるようにしたものである。【選択図】図２
2012143427.tif 000002
【特許請求の範囲】
【請求項１】
圧縮機、放熱器、絞り手段、および吸熱器を冷媒が循環する配管により連結したヒートポンプ装置と、空気流入口から前記吸熱器および前記放熱器を通って空気流出口へ流れる風回路と、前記吸熱器で空気と熱交換して生じる結露水を受けるドレンパンと、前記圧縮機と前記放熱器を連結する配管に設けた第１の温度測定部によって冷媒の温度を測定する第１の冷媒温度測定装置と、前記放熱器内の凝縮温度を第２の温度測定部によって測定する第２の冷媒温度測定装置と、前記第１および第２の冷媒温度測定装置により測定した温度情報によって前記圧縮機の運転を制御する制御装置とを備え、前記第１の温度測定部を前記ドレンパン内に設置するとともに、前記制御装置は、前記圧縮機の回転数を間欠的に低下させるようにした除湿加温装置。
【請求項２】
制御装置は、第１の冷媒温度測定装置で測定した温度が所定の温度に低下すると、圧縮機の運転を停止するようにした請求項１記載の除湿加温装置。
【請求項３】
圧縮機、放熱器、絞り手段、および吸熱器を冷媒が循環する配管により連結したヒートポンプ装置と、空気流入口から前記吸熱器および前記放熱器を通って空気流出口へ流れる風回路と、前記吸熱器で空気と熱交換して生じる結露水を受けるドレンパンと、前記圧縮機と前記放熱器を連結する配管に設けた第１の温度測定部によって冷媒の温度を測定する第１の冷媒温度測定装置と、前記放熱器内の凝縮温度を第２の温度測定部によって測定する第２の冷媒温度測定装置と、前記第１および第２の冷媒温度測定装置により測定した温度情報によって前記圧縮機の運転を制御する制御装置とを備え、前記第１の温度測定部を前記ドレンパン内に設置するとともに、前記制御装置は、前記第１の冷媒温度測定装置で測定した温度が所定の温度に低下すると、圧縮機の回転数を所定時間低下させるようにした除湿加温装置。
【請求項４】
制御装置は、第１の冷媒温度測定装置で測定した温度が、圧縮機の回転数を低下させる温度より低い所定の温度に低下すると、圧縮機の運転を停止するようにした請求項３記載の除湿加温装置。
【請求項５】
制御装置は、第１の冷媒温度測定装置で測定した温度が第２の冷媒温度測定装置により測定した温度に低下すると、圧縮機の運転を停止するようにした請求項１〜４のいずれか１項に記載の除湿加温装置。
【請求項６】
請求項１〜５のいずれか１項に記載の除湿加温装置を備えた衣類乾燥機。
【請求項７】
スピード乾燥コースを設け、制御装置は、前記スピード乾燥コースの設定時に圧縮機の回転数を間欠的に低下させ、第１の冷媒温度測定装置で測定した温度が所定の温度に低下すると、前記圧縮機の運転を停止するようにした請求項６記載の衣類乾燥機。
【請求項８】
スピード乾燥コースを設け、制御装置は、前記スピード乾燥コースの設定時に第１の冷媒温度測定装置で測定した温度が所定の温度に低下すると、圧縮機の回転数を所定時間低下させるとともに、前記圧縮機の回転数の低下により、前記圧縮機の回転数を低下させる温度より低い所定の温度に低下すると、前記圧縮機の運転を停止するようにした請求項６記載の衣類乾燥機。
【発明の詳細な説明】
【技術分野】
【０００１】
本発明は、ヒートポンプ装置を用いた除湿加温装置と、それを用いた衣類の乾燥を行う衣類乾燥機に関するものである。
【背景技術】
【０００２】
従来、この種の除湿加温装置５１は、図７〜図９に示すように、筐体５２内に圧縮機５３、放熱器５４、吸熱器５５および絞り手段５６とからなるヒートポンプ装置５７を備えている。圧縮機５３と放熱器５４とを繋ぐ配管５８に、圧縮機５３から吐出する冷媒の温度を測定するための温度測定部５９を設置している。吸熱器５５の下方には、吸熱器５５で除湿された除湿水を受けるドレンパン６０が設けてあり、このドレンパン６０に集められた除湿水を排水する排水口６１と、除湿水を検知する水位センサー６２が設けられている。
【０００３】
ヒートポンプ装置５７の動作は、圧縮機５３で高温高圧に圧縮された冷媒が配管５８を通って放熱器５４に入り、送風機（図示せず）で送風された空気と熱交換して空気が加温され、冷媒は冷却されて液化する。液化した高圧冷媒は絞り手段５６に入り減圧されて、低温低圧の液冷媒となり吸熱器５５に入る。送風機で送風された空気と熱交換して空気は冷却除湿され、冷媒は加熱され、蒸気冷媒となって圧縮機５３に戻る。
【０００４】
圧縮機５３の冷媒吐出温度が規定値を超えると、圧縮機５３内にある潤滑油の劣化が激しくなるため、圧縮機５３から吐出される冷媒の温度を温度測定部５９により測定し、冷媒吐出温度が規定値以上になると圧縮機５３を停止する安全対策が施されている。
【０００５】
また、吸熱器５５で除湿された除湿水は、重力によって吸熱器５５の下方に設けたドレンパン６０に滴下し、排水口６１から除湿加温装置５１外に排出される。ドレンパン６０には、排水口６１が異物によって目詰まりしたとき等、ドレンパン６０に溜まる除湿水の水位の上昇を検知する水位センサー６２が設けてあり、除湿水がドレンパン６０から溢れるのを防止している。
【０００６】
一方、空気の流れについて説明すると、送風機によって空気口６３から除湿加温装置５１に送り込まれた空気は、まず、吸熱器５５に入って冷却され、吸熱器５５の温度が空気の飽和温度以下になると吸熱器５５の表面に結露し、除湿される。その後、放熱器５４に入って加熱され、高温低湿の空気となって排気口６４から除湿加温装置５１を出る。
【０００７】
近年、省エネルギの観点から、衣類乾燥機にヒータに代えて、このようなヒートポンプ装置を用いた除湿加温装置が用いられるようになっている（例えば、特許文献１参照）。
【０００８】
また、ヒートポンプ装置を用いた洗濯乾燥機において、除湿により発生した結露水の水位をサーミスタで検知するとともに、結露水の水位の異常上昇を検知すると圧縮機の運転を停止することが考えられている（例えば、特許文献２参照）。
【先行技術文献】
【特許文献】
【０００９】
【特許文献１】特開平７−１７８２８９号公報
【特許文献２】特開２００６−２６２９２４号公報
【発明の概要】
【発明が解決しようとする課題】
【００１０】
しかしながら、前記従来の構成では、ドレンパン６０の除湿水を検知するために水位センサー６２を設けているため、水位センサー６２を設置するためのスペースが必要で装置が大型化するとともに、構成が複雑で高価になるという課題があった。
【００１１】
本発明は、前記従来の課題を解決するもので、簡単な構成で除湿水の排水異常を検知する感度を高めて的確に検知することができる除湿加温装置を提供することを目的とする。
【課題を解決するための手段】
【００１２】
前記従来の課題を解決するために、本発明の除湿加温装置は、ヒートポンプ装置の吸熱器で空気と熱交換して生じる結露水を受けるドレンパンと、圧縮機と放熱器を連結する配管に設けた第１の温度測定部によって冷媒の温度を測定する第１の冷媒温度測定装置と、前記放熱器内の凝縮温度を第２の温度測定部によって測定する第２の冷媒温度測定装置と、前記第１および第２の冷媒温度測定装置により測定した温度情報によって前記圧縮機の運転を制御する制御装置とを備え、前記第１の温度測定部を前記ドレンパン内に設置するとともに、前記制御装置は、前記圧縮機の回転数を間欠的に低下させるようにしたものである。
【００１３】
これによって、排水不良等により結露水がドレンパン内に溜まり、圧縮機からの吐出冷媒温度を測定する第１の冷媒温度測定装置の第１の温度測定部が結露水と接触すると、結露水の温度は冷媒の温度より低いため、測定温度が低下する。圧縮機の回転数が低下すると、冷媒の循環量が低下し熱容量流量が小さくなるため、第１の温度測定部が結露水と接触していると、測定温度を大きく低下させることができる。したがって、運転中に圧縮機の回転数を間欠的に低下させて感度を高めることによって、所定の間隔で検知精度を高めることができ、ドレンパン内の水位異常を的確に精度よく検知することができる。
【００１４】
また、本発明の除湿加温装置は、ヒートポンプ装置の吸熱器で空気と熱交換して生じる結露水を受けるドレンパンと、圧縮機と放熱器を連結する配管に設けた第１の温度測定部によって冷媒の温度を測定する第１の冷媒温度測定装置と、前記放熱器内の凝縮温度を第２の温度測定部によって測定する第２の冷媒温度測定装置と、前記第１および第２の冷媒温度測定装置により測定した温度情報によって前記圧縮機の運転を制御する制御装置とを備え、前記第１の温度測定部を前記ドレンパン内に設置するとともに、前記制御装置は、前記第１の冷媒温度測定装置で測定した温度が所定の温度に低下すると、圧縮機の回転数を所定時間低下させるようにしたものである。
【００１５】
これによって、排水不良等により結露水がドレンパン内に溜まり、圧縮機からの吐出冷媒温度を測定する第１の冷媒温度測定装置の第１の温度測定部が結露水と接触すると、結露水の温度は冷媒の温度より低いため、測定温度が低下する。圧縮機の回転数が低下すると、冷媒の循環量が低下し熱容量流量が小さくなるため、第１の温度測定部が結露水と接触していると、測定温度を大きく低下させることができる。したがって、運転中に第１の冷媒温度測定装置で測定した温度が所定の温度に低下すると、圧縮機の回転数を所定時間低下させて感度を高めることによって、測定温度を大きく低下させることができ、ドレンパン内の水位異常を的確に精度よく検知することができるとともに、圧縮機の回転数を低下させる動作を少なくして圧縮機の動作を安定させることができる。
【発明の効果】
【００１６】
本発明の除湿加温装置は、簡単な構成で除湿水の排水異常を検知する感度を高めて的確に精度よく検知することができる。
【図面の簡単な説明】
【００１７】
【図１】本発明の実施の形態１における除湿加温装置の上面図
【図２】同除湿加温装置のブロック図
【図３】図１のＢ−Ｂ断面図
【図４】同除湿加温装置の動作を示すタイムチャート
【図５】本発明の実施の形態２における除湿加温装置の動作を示すタイムチャート
【図６】本発明の実施の形態３における除湿加温装置を備えた衣類乾燥機の要部断面図
【図７】従来の除湿加温装置の上面図
【図８】同除湿加温装置の側面図
【図９】図７のＡ−Ａ断面図
【発明を実施するための形態】
【００１８】
第１の発明は、圧縮機、放熱器、絞り手段、および吸熱器を冷媒が循環する配管により連結したヒートポンプ装置と、空気流入口から前記吸熱器および前記放熱器を通って空気流出口へ流れる風回路と、前記吸熱器で空気と熱交換して生じる結露水を受けるドレンパンと、前記圧縮機と前記放熱器を連結する配管に設けた第１の温度測定部によって冷媒の温度を測定する第１の冷媒温度測定装置と、前記放熱器内の凝縮温度を第２の温度測定部によって測定する第２の冷媒温度測定装置と、前記第１および第２の冷媒温度測定装置により測定した温度情報によって前記圧縮機の運転を制御する制御装置とを備え、前記第１の温度測定部を前記ドレンパン内に設置するとともに、前記制御装置は、前記圧縮機の回転数を間欠的に低下させるようにしたことにより、排水不良等により結露水がドレンパン内に溜まり、圧縮機からの吐出冷媒温度を測定する第１の冷媒温度測定装置の第１の温度測定部が結露水と接触すると、結露水の温度は冷媒の温度より低いため、測定温度が低下する。圧縮機の回転数が低下すると、冷媒の循環量が低下し熱容量流量が小さくなるため、第１の温度測定部が結露水と接触していると、測定温度を大きく低下させることができる。したがって、運転中に圧縮機の回転数を間欠的に低下させて感度を高めることによって、所定の間隔で検知精度を高めることができ、専用の水位センサーを設けることなく、ヒートボンプサイクルの動作変動と区別してドレンパン内の水位異常を的確に精度よく検知することができる。
【００１９】
第２の発明は、特に、第１の発明の制御装置は、第１の冷媒温度測定装置で測定した温度が所定の温度に低下すると、圧縮機の運転を停止するようにしたことにより、結露水の排水異常を的確に検知して除湿の進行を停止することができ、結露水の溢水を防止することができる。
【００２０】
第３の発明は、圧縮機、放熱器、絞り手段、および吸熱器を冷媒が循環する配管により連結したヒートポンプ装置と、空気流入口から前記吸熱器および前記放熱器を通って空気流出口へ流れる風回路と、前記吸熱器で空気と熱交換して生じる結露水を受けるドレンパンと、前記圧縮機と前記放熱器を連結する配管に設けた第１の温度測定部によって冷媒の温度を測定する第１の冷媒温度測定装置と、前記放熱器内の凝縮温度を第２の温度測定部によって測定する第２の冷媒温度測定装置と、前記第１および第２の冷媒温度測定装置により測定した温度情報によって前記圧縮機の運転を制御する制御装置とを備え、前記第１の温度測定部を前記ドレンパン内に設置するとともに、前記制御装置は、前記第１の冷媒温度測定装置で測定した温度が所定の温度に低下すると、圧縮機の回転数を所定時間低下させるようにしたことにより、排水不良等により結露水がドレンパン内に溜まり、圧縮機からの吐出冷媒温度を測定する第１の冷媒温度測定装置の第１の温度測定部が結露水と接触すると、結露水の温度は冷媒の温度より低いため、測定温度が低下する。圧縮機の回転数が低下すると、冷媒の循環量が低下し熱容量流量が小さくなるため、第１の温度測定部が結露水と接触していると、測定温度を大きく低下させることができる。したがって、運転中に第１の冷媒温度測定装置で測定した温度が所定の温度に低下すると、圧縮機の回転
数を所定時間低下させて感度を高めることによって、検知精度を高めて測定温度を大きく低下させることができ、専用の水位センサーを設けることなく、ヒートボンプサイクルの動作変動と区別してドレンパン内の水位異常を的確に精度よく検知することができるとともに、圧縮機の回転数を低下させる動作を少なくして圧縮機の動作を安定させることができる。
【００２１】
第４の発明は、特に、第３の発明の制御装置は、第１の冷媒温度測定装置で測定した温度が、圧縮機の回転数を低下させる温度より低い所定の温度に低下すると、圧縮機の運転を停止するようにしたことにより、結露水の排水異常を的確に検知して除湿の進行を停止することができ、結露水の溢水を防止することができる。
【００２２】
第５の発明は、特に、第１〜第４のいずれか１つの発明の制御装置は、第１の冷媒温度測定装置で測定した温度が第２の冷媒温度測定装置により測定した温度に低下すると、圧縮機の運転を停止するようにしたことにより、第１の冷媒温度測定装置の温度測定部が結露水に接触すると、第２の冷媒温度測定装置で測定した冷媒凝縮温度より低くなり、圧縮機の運転を停止する温度を第２の冷媒温度測定装置によって測定された温度とすることにより、結露水の排水異常を確実に検知して除湿の進行を停止することができる。
【００２３】
第６の発明は、第１〜第５のいずれか１つの発明の除湿加温装置を搭載した衣類乾燥機であり、水位センサーを設けることなく、簡単な構成で排水異常を的確に精度よく検知することができる衣類乾燥機を提供することができる。
【００２４】
第７の発明は、特に、第６の発明の衣類乾燥機にスピード乾燥コースを設け、制御装置は、前記スピード乾燥コースの設定時に圧縮機の回転数を間欠的に低下させ、第１の冷媒温度測定装置で測定した温度が所定の温度に低下すると、前記圧縮機の運転を停止するようにしたことにより、特に、スピード乾燥コースでは圧縮機を高速回転で運転させるため、冷媒の熱容量流量が大きくなり、結露水と接触したときの温度低下が少なくなることから、圧縮機の回転数を低下させて感度を高めることによって、排水異常を的確に精度よく検知することができる。
【００２５】
第８の発明は、特に、第６の発明の衣類乾燥機にスピード乾燥コースを設け、制御装置は、前記スピード乾燥コースの設定時に第１の冷媒温度測定装置で測定した温度が所定の温度に低下すると、圧縮機の回転数を所定時間低下させるとともに、前記圧縮機の回転数の低下により、前記圧縮機の回転数を低下させる温度より低い所定の温度に低下すると、前記圧縮機の運転を停止するようにしたことにより、特に、スピード乾燥コースでは圧縮機を高速回転で運転させるため、冷媒の熱容量流量が大きくなり、結露水と接触したときの温度低下が少なくなることから、圧縮機の回転数を低下させて感度を高めることによって、排水異常を的確に精度よく検知することができるとともに、圧縮機の回転数を低下させる動作を少なくして圧縮機の動作を安定させることができ、乾燥運転を効率よくおこなうことができる。
【００２６】
以下、本発明の実施の形態について、図面を参照しながら説明する。なお、この実施の形態によって本発明が限定されるものではない。
【００２７】
（実施の形態１）
図１は、本発明の第１の実施の形態における除湿加温装置の上面図、図２は、同除湿加温装置のブロック図、図３は、図１のＢ−Ｂ断面図、図４は、同除湿加温装置の動作を示すタイムチャートである。
【００２８】
図１〜図４において、筐体１内に圧縮機２、放熱器３、絞り手段４および吸熱器５と、
これらを冷媒が循環する配管６で繋いだヒートポンプ装置７が設置されている。圧縮機２はインバーター等の回転数を可変できるものである。圧縮機２と放熱器３とを繋ぐ配管６に、圧縮機２から吐出する冷媒の温度を測定する第１の温度測定部８を設けてあり、この第１の温度測定部８で測定した冷媒の温度は、圧縮機２の動作を制御する制御装置９の第１の冷媒温度測定装置１０に入力される。
【００２９】
また、放熱器３内に冷媒の凝縮温度を測定する第２の温度測定部１１を設けてあり、この第２の温度測定部１１で測定した冷媒の温度は、制御装置９の第２の冷媒温度測定装置１２に入力される。第１の温度測定部８および第２の温度測定部１１は、サーミスタ等で構成している。
【００３０】
吸熱器５の下方には、吸熱器５で除湿された除湿水を受けるドレンパン１３が設けてあり、このドレンパン１３に集められた除湿水を排水する排水口１４を設けている。配管６は、圧縮機２と放熱器３とを繋ぐ部分の一部をドレンパン１３内の底部に近接配置し、サーミスタ等で構成した第１の温度測定部８は、ドレンパン１３から除湿水が溢れないように設定された溢水線Ｗより重力方向下側に、少なくともその一部または全部が位置するように配管６に取り付けられている。
【００３１】
ヒートポンプ装置７の基本的な動作は従来と同様であり、説明は簡略におこなう。圧縮機２で高温高圧に圧縮された冷媒は、配管６を通り第１の温度測定部８が取り付けられている部分を通って放熱器３に入る。放熱器３で送風機（図示せず）で送風された空気と熱交換して空気が加温され、冷媒は冷却されて液化する。液化した高圧冷媒は絞り手段４に入り、減圧されて低温低圧の液冷媒となり吸熱器５に入る。吸熱器５で送風機によって送風された空気と熱交換して空気は冷却除湿され、冷媒は加熱されて蒸気冷媒となり圧縮機２に戻る。
【００３２】
圧縮機２の冷媒吐出温度が規定値を超えると、圧縮機２内にある潤滑油の劣化が激しくなるため、圧縮機２から吐出される冷媒温度を第１の温度測定部８により測定し、冷媒吐出温度が規定値以上になると制御装置９によって圧縮機２の動作を停止するようにしている。
【００３３】
ヒートポンプサイクルでは、圧縮機２から吐出される冷媒の吐出温度は、凝縮温度より高い関係にあり、冷媒の吐出温度（例えば、８０℃〜１００℃）は第１の温度測定部８で測定し、凝縮温度（例えば、６０℃〜７０℃）は第２の温度測定部１１で測定している。冷媒の吐出温度は、圧縮機２の動作に連動して所定の範囲内で制御され、圧縮機２の回転数が一定に保たれていると、上下の変動幅は小さく各々１ｄｅｇ程度である。
【００３４】
一方、除湿加温装置によって除湿加温される空気の流れを説明すると、図示しない送風機によって筐体１に設けた空気流入口１５から除湿加温装置に送り込まれた空気は、まず、吸熱器５に入って冷却され、吸熱器５の温度が空気の飽和温度以下になると吸熱器５の表面に結露し、除湿される。その後、放熱器３に入って加熱され、高温低湿の空気となって空気流出口１６から除湿加温装置を出る風回路１７が構成されている。
【００３５】
ヒートポンプ装置７の動作により、吸熱器５で結露した除湿水はドレンパン１３に落下して集められ、最下部にある排水口１４から筐体１外に排出される。送風機で送風される空気にリント等の異物が含まれていると、吸熱器５で結露した除湿水に付着しドレンパン１３に溜まる。
【００３６】
排水口１４がリント等の異物によって目詰まりする等の排水不良が起きた場合、除湿水は排水口１４から排水されずにドレンパン１３に溜まる。ヒートポンプ装置７の動作によ
り吸熱器５で結露した除湿水で水位が上昇し、やがて溢水線Ｗを超えるとドレンパン１３から除湿水が溢れて水漏れが生じる。圧縮機２と放熱器３とを繋ぐ配管６の一部をドレンパン１３内の底部に近接配置しているので、ドレンパン１３内の水位が上昇すると、その底部に配設された配管６の一部が結露水と接触し、溢水線Ｗを超える前に第１の温度測定部８とともに配管６の一部が結露水と接触する。
【００３７】
このとき、圧縮機２から吐出された冷媒は高温であるため、結露水と接触することにより、第１の温度測定部８が冷却されて測定温度が低下する。このとき、第２の冷媒温度測定装置１２の第２の温度測定部１１で測定した冷媒凝縮温度が、第２の所定範囲内での変化であれば、圧縮機２の回転数変化等のヒートポンプサイクルの変動による温度低下ではなく、排水不良によるものであると判断することができ、圧縮機２の運転を制御する制御装置９により、圧縮機２の運転を停止させ、除湿の進行を停止して結露水の溢水による水漏れを防止することができる。
【００３８】
つまり、第１の温度測定部８によって、冷媒の吐出温度と結露水の排水異常を監視するとともに、冷媒の吐出温度と凝縮温度の両方の変化を監視することにより、排水異常を精度よく検知することができる。
【００３９】
図４は、第１の温度測定部８および第２の温度測定部１１で測定した冷媒の温度と、圧縮機２の回転数の変化を示している。運転の開始により第１の冷媒温度測定装置１０で測定した冷媒吐出温度と、第２の冷媒温度測定装置１２で測定した冷媒凝縮温度はともに徐々に上昇する。
【００４０】
圧縮機２は、比較的高回転域で設定された第１の所定の回転数ｒ１（例えば、９０ｒｐｓ）で運転する。第１の冷媒温度測定装置１０で測定した冷媒吐出温度は、ｔ１（例えば、１１０℃）に設定され、圧縮機２の動作に連動して所定の範囲内で制御され、圧縮機２の回転数が一定に保たれていると、上下の変動幅は小さく各々１ｄｅｇ程度である。第２の冷媒温度測定装置１２で測定した冷媒凝縮温度は、ｔ３（例えば、７０℃）である。
【００４１】
制御装置９は、運転開始後に圧縮機２の回転数を間欠的に第２の所定の回転数ｒ２（例えば、４５ｒｐｓ）に低下させるように圧縮機２の動作を制御する。これにより、冷媒吐出温度は、ｔ１からｔ２に低下し、冷媒凝縮温度は、ｔ３からｔ４に低下する。
【００４２】
この際、区間ａでは第１の冷媒温度測定装置１０で測定した冷媒吐出温度は、結露水と接触していないため所定温度ｔ４より高く、排水不良が生じていないと判断することができる。そして、圧縮機２は元の第１の所定の回転数ｒ１で運転される。
【００４３】
圧縮機２の回転数は、間欠的に第１の所定の回転数ｒ１から第２の所定の回転数ｒ２に低下させる。圧縮機２の回転数が低下すると、冷媒の循環量が低下し熱容量流量が小さくなるため、第１の温度測定部８が結露水と接触していると、測定温度を大きく低下させることができる。
【００４４】
したがって、運転中に圧縮機２の回転数を間欠的に低下させることによって、間欠的に感度を高めることができる。第１の所定の回転数ｒ１での運転時間Ｔ１は、例えば、数十分（好ましくは２０〜３０分）、第２の所定の回転数ｒ２での運転時間Ｔ２は、例えば、数十秒（好ましくは２０〜３０秒）である。
【００４５】
次に、区間ｂでは第１の冷媒温度測定装置１０で測定した冷媒吐出温度は、所定温度ｔ４より低くなる。これは、第１の温度測定部８がドレンパン１３に溜まった結露水と接触し、結露水に熱量を奪われて温度が低下したためで、排水不良が発生したと判断でき、圧
縮機２の運転を停止する。
【００４６】
圧縮機２が第１の所定の回転数ｒ１で運転中は冷媒の循環による熱容量流量が大きく、冷媒吐出温度は、結露水との接触により所定温度ｔ１からｔ５に低下しているが、温度の低下量が少なく、圧縮機２の回転数を間欠的にｒ１からｒ２に低下させることによって、検知精度を高めて測定温度をｔ５から大きく低下させることができ、排水不良の発生を的確に精度よく検知することができる。
【００４７】
以上のように、本実施の形態においては、圧縮機２と放熱器３を連結する配管６に設けた第１の温度測定部８をドレンパン１３内に設置するとともに、制御装置９は、圧縮機２の回転数を間欠的に低下させるようにしたものであり、運転中に圧縮機２の回転数を間欠的に低下させて感度を高めることによって、所定の間隔で検知精度を高めることができ、ドレンパン１３内の水位異常を的確に精度よく検知することができる。
【００４８】
なお、本実施の形態では、圧縮機２の運転を停止する温度を第２の冷媒温度測定装置によって測定された温度（所定温度ｔ４）としている。ヒートポンプサイクルでは、第１の冷媒温度測定装置１０で測定した冷媒吐出温度は、常に第２の冷媒温度測定装置１２で測定した冷媒凝縮温度より常に高温であり、排水異常がなければ圧縮機２の回転数を低下させてもこの関係は変わらない。しかしながら、排水異常で第１の冷媒温度測定装置１０の第１の温度測定部８が結露水に接触すると、結露水は低温の吸熱器５で結露しているため冷媒凝縮温度より低くい。
【００４９】
したがって、第１の冷媒温度測定装置１０で測定した温度が、第２の冷媒温度測定装置１２で測定した温度より低くなり、圧縮機２の運転を停止する温度を第２の冷媒温度測定装置１２によって測定された温度とすることにより、確実に排水不良を検知して除湿の進行を停止することができる。
【００５０】
また、圧縮機２の運転を停止する温度は、負荷と圧縮機２の回転数との関係で所定温度を決めてもよい。例えば、予め運転をおこない、第１の冷媒温度測定装置１０で測定した冷媒吐出温度の最低値より低く、冷媒凝縮温度より高い値を所定温度とすることにより、より早く排水異常の判定をおこなうことができる。
【００５１】
（実施の形態２）
図５は、本発明の第２の実施の形態における除湿加温装置の動作を示すタイムチャートである。本実施の形態の特徴は、第１の冷媒温度測定装置１０で測定した冷媒吐出温度が所定の温度に低下すると、圧縮機２の回転数を所定時間低下させるようにしたものである。他の構成は実施の形態１と同じであり、同一の構成に同一の符号を付して、詳細な説明は実施の形態１のものを援用する。
【００５２】
圧縮機２は、比較的高回転域で設定された第１の所定の回転数ｒ１（例えば、９０ｒｐｓ）で運転する。第１の冷媒温度測定装置１０で測定した冷媒吐出温度は、ｔ１（例えば、１１０℃）に設定され、圧縮機２の動作に連動して所定の範囲内で制御され、圧縮機２の回転数が一定に保たれていると、上下の変動幅は小さく各々１ｄｅｇ程度である。第２の冷媒温度測定装置１２で測定した冷媒凝縮温度は、ｔ３（例えば、７０℃）である。
【００５３】
運転中の区間ｃでは、第１の冷媒温度測定装置１０で測定した冷媒吐出温度ｔ１からｔ５に若干低下している。しかしこの段階では、第１の温度測定部８がドレンパン１３に溜まった結露水と接触したことによる低下なのか、ヒートポンプサイクルの変化によるものなのか判断できない。
【００５４】
そこで、冷媒吐出温度が所定温度（例えば、ｔ５）に低下すると、区間ｄで圧縮機２の回転数を第１の所定の回転数ｒ１から第２の所定の回転数ｒ２に所定時間低下させる。このとき、第１の冷媒温度測定装置１０で測定した冷媒吐出温度が所定温度（本実施の形態では第２の冷媒温度測定装置１２で測定した冷媒凝縮温度ｔ４）より低くなれば、第１の温度測定部８がドレンパン１３に溜まった結露水との接触により温度が低下したものと判断することができ、圧縮機２の運転を停止する。
【００５５】
圧縮機２が第１の所定の回転数ｒ１で運転中は冷媒の循環による熱容量流量が大きく、冷媒吐出温度は、結露水との接触により所定温度ｔ１からｔ５に低下しているが、温度の低下量が少なく、圧縮機２の回転数を第１の所定の回転数ｒ１から第２の所定の回転数ｒ２に低下させることによって、検知精度を高めて測定温度を大きく低下させることができ、排水不良の発生を的確に精度よく検知することができる。
【００５６】
以上のように、本実施の形態においては、第１の冷媒温度測定装置１０で測定した温度が所定の温度に低下すると、圧縮機２の回転数を所定時間低下させるようにしたものであり、運転中に第１の冷媒温度測定装置１０で測定した温度が所定の温度に低下すると、圧縮機２の回転数を所定時間低下させて感度を高めることによって、測定温度を大きく低下させることができ、ドレンパン１３内の水位異常を的確に精度よく検知することができるとともに、圧縮機２の回転数を低下させる動作を少なくして圧縮機２の動作を安定させることができる。
【００５７】
また、第１の冷媒温度測定装置１０で測定した冷媒吐出温度が、圧縮機２の回転数を低下させる温度（例えば、ｔ５）より低い所定温度（例えば、ｔ４）に低下すると、圧縮機２の運転を停止するようにしたものであり、結露水の排水異常を的確に検知して除湿の進行を停止することができ、結露水の溢水を防止することができる。
【００５８】
（実施の形態３）
図６は、本発明の第３の実施の形態における除湿加温装置を備えた衣類乾燥機の要部断面図である。除湿加温装置の構成は、実施の形態１のものと同じであり、同一の符号を付して詳細な説明は実施の形態１のものを援用する。
【００５９】
本実施の形態の衣類乾燥機は、洗濯機能を備えた洗濯乾燥機であり、洗濯、すすぎ、脱水に続いて乾燥までおこなうことができる。洗濯乾燥機の筐体２１内に洗濯水を溜める水槽２２が弾性支持され、この水槽２２内にドラム２３が回転可能に配設されている。ドラム２３は、洗濯槽、脱水槽、乾燥槽として機能する。ドラム２３の前面側には、衣類等の洗濯物をドラム２３内に出し入れする開口部２４が設けてあり、扉２５によって開閉することができる。ドラム２３の回転軸は前上がりに傾斜している。
【００６０】
ドラム２３は、水槽２２の背面側に取り付けたモータ２６によって正逆回転駆動され、洗濯およびすすぎ時は、投入された洗濯物の量に応じて設定された所定量の洗濯水を給水し、ドラム２３内の洗濯物を撹拌し、ドラム２３内で落下するたたき洗いの作用が洗濯物に及ぶ速度で、所定時間回転動作する。脱水時は、洗濯物に遠心力が作用しドラム２３の内周側面に張り付く高速で回転動作し、洗濯物から脱水された洗濯水は水槽２２から筐体２１外へ排出される。
【００６１】
さらに、乾燥時は、脱水時にドラム２３の内周側面に張り付いた洗濯物をほぐす動作に続いて、ドラム２３内で洗濯物を撹拌する動作をおこなう。このとき、除湿加温装置で除湿加温された乾燥用空気がドラム２３内に導入される。除湿加温装置の空気流出口１６から出た乾いた高温の乾燥用空気は、送風機２９によって水槽２２の背面側の上部に設けた導入口２７から水槽２２内に導入される。
【００６２】
ドラム２３の内周側面には多数の孔（図示せず）が設けてあり、この孔から水槽２２内に導入された乾燥用空気がドラム２３内に入り、ドラム２３内で撹拌されている洗濯物と接触する。洗濯物から水分を奪って多湿となった乾燥用空気は、ドラム２３の周側面に設けた多数の孔から出て水槽２２内に入り、水槽２２の前面側の上部に設けた導出口２８から空気流入口１５を通り、除湿加温装置の風回路１７を流れる。
【００６３】
空気流入口１５から除湿加温装置に送り込まれた空気は、吸熱器５で冷却除湿された後、放熱器３に入って加熱され、高温低湿の空気となって空気流出口１６から導入口２７へ導かれる。このように、除湿加温装置で除湿加温された乾燥用空気は、矢印イのように、導入口２７からドラム２３内に入り、導出口２８から除湿加温装置に戻る循環風路３０を循環し、ドラム２３内の洗濯物の乾燥を進行させる。
【００６４】
（実施の形態４）
本発明の第４の実施の形態は、衣類乾燥機にスピード乾燥コースを設け、制御装置９は、スピード乾燥コースの設定時に圧縮機２の回転数を間欠的に低下させ、第１の冷媒温度測定装置１０で測定した温度が所定の温度に低下すると、圧縮機２の運転を停止するようにしたものである。他の構成は実施の形態１と同じであり、同一の構成に同一の符号を付して、詳細な説明は実施の形態１のものを援用する。
【００６５】
スピード乾燥コースは、通常の乾燥コース設定時より短時間で乾燥させるときに使用されるものであり、圧縮機２を１００ｒｐｓ等の高回転数で運転する。冷媒にＲ１３４ａを用いた場合、通常の乾燥コースと比較して放熱器３内の冷媒凝縮温度は高く７０℃に達する。
【００６６】
一方、吸熱器５内の冷媒蒸発温度は通常の乾燥コースよりも低くなり１５℃となる。この際、蒸発温度が低いため、吸熱器５に設けられているフィンの表面温度も低くなり、結露水の量が多くなる。したがって、スピード乾燥コースの設定時は、圧縮機２の回転数を通常の乾燥コースよりも頻繁に、例えば、１０分に１回程度低下させる。
【００６７】
上記の構成により、スピード乾燥コースでは圧縮機２を高速回転で運転させるため、冷媒の熱容量流量が大きくなり、結露水と接触したときの温度低下が少なくなることから、圧縮機２の回転数を間欠的に低下させることによって、排水異常を的確に精度よく検知することができる。これにより、第１の冷媒温度測定装置１０で測定した温度が所定の温度に低下すると排水不良が起こったと判断でき、圧縮機２を停止することにより、溢水を防ぐことができる。
【００６８】
また、衣類乾燥機にスピード乾燥コースを設けた他の例として、スピード乾燥コースの設定時に第１の冷媒温度測定装置１０で測定した温度が所定の温度に低下すると、圧縮機２の回転数を所定時間低下させるとともに、圧縮機２の回転数の低下により、圧縮機２の回転数を低下させる温度より低い所定の温度に低下すると、圧縮機２の運転を停止するようにしたものである。
【００６９】
これにより、感度を高めて排水異常を的確に精度よく検知することができるとともに、圧縮機２の回転数を低下させる動作を少なくして圧縮機２の動作を安定させることができ、乾燥運転を効率よくおこなうことができる。
【００７０】
なお、本実施の形態では、洗濯機能を備えた洗濯乾燥機について説明したが、洗濯機能がなく、衣類の乾燥のみをおこなう衣類乾燥機でも同様である。
【産業上の利用可能性】
【００７１】
以上のように、本発明にかかる除湿加温装置は、簡単な構成で除湿水の排水異常を検知する感度を高めて的確に精度よく検知することができるので、除湿加温装置および衣類乾燥機として有用である。
【符号の説明】
【００７２】
２  圧縮機
３  放熱器
４  絞り手段
５  吸熱器
６  配管
７  ヒートポンプ装置
８  第１の温度測定部
９  制御装置
１０  第１の冷媒温度測定装置
１１  第２の温度測定部
１２  第２の冷媒温度測定装置
１３  ドレンパン
１５  空気流入口
１６  空気流出口
【図１】
2012143427.tif 000003
【図２】
2012143427.tif 000004
【図３】
2012143427.tif 000005
【図４】
2012143427.tif 000006
【図５】
2012143427.tif 000007
【図６】
2012143427.tif 000008
【図７】
2012143427.tif 000009
【図８】
2012143427.tif 000010
【図９】
2012143427.tif 000011